【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
箱体状で、内部に緩衝部材の収容部を備える箱状部材において、
緩衝部材を挿入可能な開口と、
該開口の両側に位置する二つの面からなる一の面と、
該一の面に対向して位置し、前記開口に対応する位置に折り目を有する他の面とを有し、
前記緩衝部材の収容部が、前記一の面と前記他の面の間に位置し、かつ前記一の面の前記二つの面それぞれに対応して位置し、
前記一の面の前記二つの面の一方の面の前記開口側に一以上の突出部を備え、前記二つの面の他方の面の前記開口側に前記突出部と係合可能な一以上の係合孔を備え、
前記一の面の前記二つの面が近づき合うように前記他の面の前記折り目を折り曲げたときに前記突出部を前記係合孔に係合させることで前記開口を閉塞可能としてなる
ことを特徴とする箱状部材。
【請求項２】
請求項１の箱状部材において、
前記一の面の前記二つの面に隣合い且つ前記収容部の厚さ方向に対応して位置する二つの側面が、それぞれ、前記折り目から前記二つの側面の前記開口側の縁に向かって広がる傾斜面を有し、
前記一の面の前記二つの面が近づき合うように前記他の面の前記折り目を折り曲げたとき、前記二つの傾斜面が互いに対向し、かつ前記二つの傾斜面同士の間に空間が形成されることを特徴とする箱状部材。
【請求項３】
請求項２の箱状部材において、
前記二つの側面には、外側に向けて該側面をく字状に屈曲させ得る折り目を設けたことを特徴とする箱状部材。
【請求項４】
請求項１から３のいずれかの箱状部材において、
前記一の面の前記二つの面が近づき合うように前記他の面の前記折り目を折り曲げたときに前記二つの側面がＬ字形状をなすことを特徴とする箱状部材。
【請求項５】
請求項1から４のいずれかの箱状部材の前記収容部及び前記開口と対応する位置に、気体が密閉された多数の密閉容器からなる緩衝部材が収容されてなることを特徴とする緩衝体。
【請求項６】
請求項５の緩衝体において、
複数の該緩衝体を縦方向に配置したときに、最上位の緩衝体をなす前記箱状部材の頂部と、最上位の緩衝体をなす前記箱状部材の下位に位置する他の緩衝体をなす前記箱状部材の上面との間に空間が形成されることを特徴とする緩衝体。
【請求項７】
物品を載置する載置台と、該載置台に載置される物品の周囲を囲う側板とを有し、
請求項５または６の前記緩衝体を前記物品と前記側板との間に配置可能としてなる、
ことを特徴とする梱包装置。
【手続補正２】
【補正対象書類名】明細書
【補正対象項目名】０００１
【補正方法】変更
【補正の内容】
【０００１】
本発明は箱状部材及びこれを用いて構成した緩衝体、及びこの緩衝体を用いた梱包装置に関し、特に物品を底基台に載置し、底基台の周囲に側部材を配置した梱包装置及びこの梱包装置の緩衝体として使用し得る箱状部材に関する。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
特許文献４には、緩衝部材を廃棄処理が簡単でリサイクル性が高い物質で作成したラミネート紙で構成し、緩衝作用の機能をもたせ、緩衝部材を使用する包装体は、容器と物品の隙間に応じて容器の面側面に単体、あるいは連続したブロック状緩衝部材を装着するものが記載されている。
【特許文献１】特開２００２−００２８１３号公報
【特許文献２】特開２００１−３３５０２４号公報
【特許文献３】特開２００３−２６１１７９号公報
【特許文献４】特開平０９−２６７８６６号公報
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明は、輸送中に起こり得る物品への衝撃を緩和させる緩衝体及び梱包装置、及び緩衝体として使用し得る箱状部材を提供することを目的とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
請求項１の発明は、箱体状で、内部に緩衝部材の収容部を備える箱状部材において、
緩衝部材を挿入可能な開口と、該開口の両側に位置する二つの面からなる一の面と、該一の面に対向して位置し、前記開口に対応する位置に折り目を有する他の面とを有し、前記緩衝部材の収容部が、前記一の面と前記他の面の間に位置し、かつ前記一の面の前記二つの面それぞれに対応して位置し、前記一の面の前記二つの面の一方の面の前記開口側に一以上の突出部を備え、前記二つの面の他方の面の前記開口側に前記突出部と係合可能な一以上の係合孔を備え、前記一の面の前記二つの面が近づき合うように前記他の面の前記折り目を折り曲げたときに前記突出部を前記係合孔に係合させることで前記開口を閉塞可能としてなることを特徴とする箱状部材である。
【手続補正１２】
【補正対象書類名】明細書
【補正対象項目名】００１６
【補正方法】変更
【補正の内容】
【００１６】
請求項２の発明は、請求項１の箱状部材において、前記一の面の前記二つの面に隣合い且つ前記収容部の厚さ方向に対応して位置する二つの側面が、それぞれ、前記折り目から前記二つの側面の前記開口側の縁に向かって広がる傾斜面を有し、前記一の面の前記二つの面が近づき合うように前記他の面の前記折り目を折り曲げたとき、前記二つの傾斜面が互いに対向し、かつ前記二つの傾斜面同士の間に空間が形成されることを特徴とする箱状部材である。
【手続補正１３】
【補正対象書類名】明細書
【補正対象項目名】００１８
【補正方法】変更
【補正の内容】
【００１８】
請求項４の発明は、請求項１から３のいずれかの箱状部材において、前記一の面の前記二つの面が近づき合うように前記他の面の前記折り目を折り曲げたときに前記二つの側面がＬ字形状をなすことを特徴とする箱状部材である。
【手続補正１４】
【補正対象書類名】明細書
【補正対象項目名】００１９
【補正方法】変更
【補正の内容】
【００１９】
請求項５の発明は、請求項1から４のいずれかの箱状部材の前記収容部及び前記開口と対応する位置に、気体が密閉された多数の密閉容器からなる緩衝部材が収容されてなることを特徴とする緩衝体である。
【手続補正１５】
【補正対象書類名】明細書
【補正対象項目名】００２１
【補正方法】変更
【補正の内容】
【００２１】
請求項７の発明は、物品を載置する載置台と、該載置台に載置される物品の周囲を囲う側板とを有し、請求項５または６の前記緩衝体を前記物品と前記側板との間に配置可能としてなることを特徴とする梱包装置である。
【手続補正１６】
【補正対象書類名】明細書
【補正対象項目名】００２２
【補正方法】変更
【補正の内容】
【００２２】
本発明によれば、輸送中に起こり得る物品への衝撃を緩和させることはもちろん、梱包、包装に対する時間を少なくできる。
【手続補正１７】
【補正対象書類名】明細書
【補正対象項目名】００２６
【補正方法】変更
【補正の内容】
【００２６】
なお、以下に説明する例においては、被搭載体を複写機とし、緩衝部材をペットボトル（ＰＥＴボトル、すなわちポリエチレンテレフタレート製のボトル）としているが、本発明の被搭載体については振動、衝撃等に対する緩衝を要するものであればどのようなものでもよい。緩衝部材もペットボトルに限らず、同一、類似の構造、作用をなすものであれば種々採用できる。もちろん本発明用の緩衝部材として専用に製作するものとしてもよい。